(57)【要約】【課題】ネットワークに接続される情報処理装置の位置を、リアルタイムに視覚的に提供することができる、サーバ装置、情報処理方法、及び情報処理プログラムを提供する。【解決手段】サーバ装置１２の記憶部３６は、給電装置１８の第１識別情報、及びレイアウト図を記憶する。レイアウト図は、給電装置１８を示す第１画像を実空間上における位置情報に応じた第１位置に配置した図である。受信部３２Ｄは、給電装置１８から、給電装置１８の第１識別情報及び給電装置１８が電力供給する情報処理装置１６の第２識別情報を含む第１データを受信する。更新部３２Ｆは、受信した第２識別情報によって特定される情報処理装置１６を示す第２画像を、第１データに含まれる第１識別情報によって特定される給電装置１８の第１位置から予め定めた範囲内の第２位置に配置することで、レイアウト図を更新する。【選択図】図２
2014052982.tif 000002
【特許請求の範囲】
【請求項１】
当該サーバ装置にネットワークを介して接続される情報処理装置へ電力供給すると共に当該サーバ装置にネットワークを介して接続された給電装置の第１識別情報と、前記第１識別情報によって特定される前記給電装置を示す第１画像を実空間上における位置情報に応じた第１位置に配置したレイアウト図と、を記憶する記憶部と、
前記給電装置から、前記給電装置の前記第１識別情報及び前記給電装置が電力供給する前記情報処理装置の第２識別情報を含む第１データを受信する受信部と、
受信した前記第１データに含まれる前記第２識別情報によって特定される前記情報処理装置を示す第２画像を、前記レイアウト図における、前記第１データに含まれる前記第１識別情報によって特定される前記給電装置の前記第１位置から予め定めた範囲内の第２位置に配置することで、前記レイアウト図を更新する更新部と、
少なくとも前記レイアウト図が更新されたときに、前記情報処理装置へ前記レイアウト図を送信する送信部と、
を備えたサーバ装置。
【請求項２】
前記受信部は、
前記給電装置から、前記給電装置の前記第１識別情報及び前記給電装置が電力供給を開始した前記情報処理装置の前記第２識別情報を含む前記第１データを受信する、
請求項１に記載のサーバ装置。
【請求項３】
前記記憶部は、
前記第２識別情報と、前記第２識別情報によって特定される前記情報処理装置に電力供給する前記給電装置の前記第１識別情報と、前記第２識別情報によって特定される前記情報処理装置に関する機器情報と、を対応づけて更に記憶し、
前記更新部は、
前記第２識別情報に対応する前記機器情報を含む前記第２画像を、前記レイアウト図における前記第２位置に配置することで、前記レイアウト図を更新する、
請求項１または請求項２に記載のサーバ装置。
【請求項４】
前記機器情報は、前記第２識別情報によって特定される前記情報処理装置の稼働状況、前記情報処理装置の種類、及び前記情報処理装置の所有者の少なくとも１つを含む、請求項３に記載のサーバ装置。
【請求項５】
サーバ装置で実行する情報処理方法であって、
前記サーバ装置にネットワークを介して接続される情報処理装置へ電力供給すると共に前記サーバ装置にネットワークを介して接続された給電装置から、前記給電装置の第１識別情報及び前記給電装置が電力供給する前記情報処理装置の第２識別情報を含む第１データを受信するステップと、
受信した前記第１データに含まれる前記第２識別情報によって特定される前記情報処理装置を示す第２画像を、前記第１識別情報、及び前記第１識別情報によって特定される前記給電装置を示す第１画像を実空間上における位置情報に応じた第１位置に配置したレイアウト図を対応づけて記憶する記憶部に記憶された前記レイアウト図における、該第１データに含まれる前記第１識別情報によって特定される前記給電装置の前記第１位置から予め定めた範囲内の第２位置に配置することで、前記レイアウト図を更新するステップと、
少なくとも前記レイアウト図が更新されたときに、前記情報処理装置へ前記レイアウト図を送信するステップと、
を含む情報処理方法。
【請求項６】
コンピュータに、
前記サーバ装置にネットワークを介して接続される情報処理装置へ電力供給すると共に前記サーバ装置にネットワークを介して接続された給電装置から、前記給電装置の第１識別情報及び前記給電装置が電力供給する前記情報処理装置の第２識別情報を含む第１データを受信するステップと、
受信した前記第１データに含まれる前記第２識別情報によって特定される前記情報処理装置を示す第２画像を、前記第１識別情報、及び前記第１識別情報によって特定される前記給電装置を示す第１画像を実空間上における位置情報に応じた第１位置に配置したレイアウト図を対応づけて記憶する記憶部に記憶された前記レイアウト図における、該第１データに含まれる前記第１識別情報によって特定される前記給電装置の前記第１位置から予め定めた範囲内の第２位置に配置することで、前記レイアウト図を更新するステップと、
少なくとも前記レイアウト図が更新されたときに、前記情報処理装置へ前記レイアウト図を送信するステップと、
を実行させる情報処理プログラム。
【発明の詳細な説明】
【技術分野】
【０００１】
本発明は、サーバ装置、情報処理方法、及び情報処理プログラムに関する。
【背景技術】
【０００２】
ネットワークに接続された情報処理装置の位置を特定するシステムが知られている。例えば、特許文献１には、配電機器の電力変化を検出することで、ネットワークデバイスの物理的な位置を決定する方法が開示されている。
【発明の概要】
【発明が解決しようとする課題】
【０００３】
しかしながら、従来では、ネットワークに接続される他の携帯端末や、画像形成装置等の各種情報処理装置の位置を、遠隔地から視覚的にリアルタイムに確認することは困難であった。
【０００４】
本発明は、ネットワークに接続される情報処理装置の位置を、リアルタイムに視覚的に提供することができる、サーバ装置、情報処理方法、及び情報処理プログラムを提供することを目的とする。
【課題を解決するための手段】
【０００５】
上述した課題を解決し、目的を達成するために、本発明のサーバ装置は、記憶部と、受信部と、更新部と、送信部と、を含む。記憶部は、当該サーバ装置にネットワークを介して接続される情報処理装置へ電力供給すると共に当該サーバ装置にネットワークを介して接続された給電装置の第１識別情報と、前記第１識別情報によって特定される前記給電装置を示す第１画像を実空間上における位置情報に応じた第１位置に配置したレイアウト図と、を記憶する。受信部は、前記給電装置から、前記給電装置の前記第１識別情報及び前記給電装置が電力供給する前記情報処理装置の第２識別情報を含む第１データを受信する。更新部は、受信した前記第１データに含まれる前記第２識別情報によって特定される前記情報処理装置を示す第２画像を、前記レイアウト図における、前記第１データに含まれる前記第１識別情報によって特定される前記給電装置の前記第１位置から予め定めた範囲内の第２位置に配置することで、前記レイアウト図を更新する。送信部は、少なくとも前記レイアウト図が更新されたときに、前記情報処理装置へ前記レイアウト図を送信する。
【０００６】
本発明の情報処理方法は、サーバ装置で実行する情報処理方法であって、前記サーバ装置にネットワークを介して接続される情報処理装置へ電力供給すると共に前記サーバ装置にネットワークを介して接続された給電装置から、前記給電装置の第１識別情報及び前記給電装置が電力供給する前記情報処理装置の第２識別情報を含む第１データを受信するステップと、受信した前記第１データに含まれる前記第２識別情報によって特定される前記情報処理装置を示す第２画像を、前記第１識別情報、及び前記第１識別情報によって特定される前記給電装置を示す第１画像を実空間上における位置情報に応じた第１位置に配置したレイアウト図を対応づけて記憶する記憶部に記憶された前記レイアウト図における、該第１データに含まれる前記第１識別情報によって特定される前記給電装置の前記第１位置から予め定めた範囲内の第２位置に配置することで、前記レイアウト図を更新するステップと、少なくとも前記レイアウト図が更新されたときに、前記情報処理装置へ前記レイアウト図を送信するステップと、を含む情報処理方法である。
【０００７】
本発明の情報処理プログラムは、コンピュータに、前記サーバ装置にネットワークを介して接続される情報処理装置へ電力供給すると共に前記サーバ装置にネットワークを介して接続された給電装置から、前記給電装置の第１識別情報及び前記給電装置が電力供給する前記情報処理装置の第２識別情報を含む第１データを受信するステップと、受信した前記第１データに含まれる前記第２識別情報によって特定される前記情報処理装置を示す第２画像を、前記第１識別情報、及び前記第１識別情報によって特定される前記給電装置を示す第１画像を実空間上における位置情報に応じた第１位置に配置したレイアウト図を対応づけて記憶する記憶部に記憶された前記レイアウト図における、該第１データに含まれる前記第１識別情報によって特定される前記給電装置の前記第１位置から予め定めた範囲内の第２位置に配置することで、前記レイアウト図を更新するステップと、少なくとも前記レイアウト図が更新されたときに、前記情報処理装置へ前記レイアウト図を送信するステップと、を実行させる情報処理プログラムである。
【発明の効果】
【０００８】
本発明によれば、ネットワークに接続される情報処理装置の位置を、リアルタイムに視覚的に提供することができる、という効果を奏する。
【図面の簡単な説明】
【０００９】
【図１】図１は、情報処理システムの模式図である。
【図２】図２は、情報処理システムのシステム構成図である。
【図３】図３は、第２データのデータ構造の一例を示す模式図である。
【図４】図４は、第３データのデータ構造の一例を示す模式図である。
【図５】図５は、情報処理装置が実行する情報処理の手順の一例を示すフローチャートである。
【図６】図６は、給電装置が実行する情報処理の手順を示すフローチャートである。
【図７】図７は、サーバ装置が実行する情報処理の手順を示すフローチャートである。
【図８】図８は、更新処理の手順を示すフローチャートである。
【図９】図９は、更新処理の手順を示すフローチャートである。
【図１０】図１０は、サーバ装置で実行する表示処理の手順を示すフローチャートである。
【図１１】図１１は、レイアウト図の一例を示す模式図である。
【図１２】図１２は、レイアウト図の一例を示す模式図である。
【図１３】図１３は、レイアウト図の一例を示す模式図である。
【図１４】図１４は、レイアウト図の一例を示す模式図である。
【図１５】図１５は、レイアウト図の一例を示す模式図である。
【図１６】図１６は、レイアウト図の一例を示す模式図である。
【図１７】図１７は、レイアウト図の一例を示す模式図である。
【図１８】図１８は、レイアウト図の一例を示す模式図である。
【発明を実施するための形態】
【００１０】
以下に添付図面を参照して、サーバ装置、情報処理方法、及び情報処理プログラムの一の実施の形態を説明する。
【００１１】
図１は、本実施の形態に係る情報処理システム１０の模式図である。
【００１２】
情報処理システム１０は、複数の情報処理装置１６と、サーバ装置１２と、がネットワーク１４を介して接続されている。
【００１３】
ネットワーク１４は、公知の通信回線である。ネットワーク１４は、有線通信網であっても無線通信網であってもよい。ネットワーク１４は、例えば、ＬＡＮ（Ｌｏｃａｌ  Ａｒｅａ  Ｎｅｔｗｏｒｋ）や、インターネットである。
【００１４】
情報処理装置１６は、各種機能を実行する装置である。
【００１５】
情報処理装置１６は、パーソナルコンピュータ（ＰＣ）、携帯端末（スマートフォン等）、画像形成装置、画像表示装置、ビデオ会議装置等である。画像形成装置は、画像を形成するプリンタ機能、ファックス機能、及びスキャナ機能の少なくとも１つを備えた装置である。画像表示装置は、画像を表示する公知の装置である。画像表示装置は、例えば、プロジェクタ等である。ビデオ会議装置は、公知のビデオ会議装置であり、ネットワーク１４を介して情報処理装置１６間で画像及び音声を送受信及び出力する装置である。
【００１６】
情報処理システム１０を構成する複数の情報処理装置１６は、同じ場所に設置されていてもよいし、離れた場所に設置されていてもよい。本実施の形態では、情報処理システム１０に含まれる情報処理装置１６は、店舗等の領域Ｂ、ユーザの自宅等の領域Ｃ、ユーザの勤務先等の領域Ａ等に、１または複数の情報処理装置１６毎に分散して位置されている場合を説明する。
【００１７】
図２は、情報処理システム１０のシステム構成図である。
【００１８】
情報処理装置１６は、制御部２０、記憶部２２、通信部２９、駆動部２４、入力部２５、表示部２６、通信部２８、及び音声入出力部３０を含む。
【００１９】
通信部２８は、給電装置１８及びネットワーク１４を介してサーバ装置１２との間で通信を行うためのインターフェースである。表示部２６は、表示画面等の各種情報を表示する。表示部２６は、ＬＣＤ（Ｌｉｑｕｉｄ  Ｃｒｙｓｔａｌ  Ｄｉｓｐｌａｙ）等の公知の表示装置である。
【００２０】
入力部２５は、各種情報の操作指示等をユーザから受け付ける。入力部２５としては、例えば、マイク等の音声認識装置、マウス、ボタン、リモコン、及びキーボード等が挙げられる。なお、入力部２５と表示部２６を、一体的に構成してもよい。
【００２１】
音声入出力部３０は、音声の入力及び出力を行う。
【００２２】
記憶部２２は、ハードディスクドライブ装置（ＨＤＤ）等の記憶媒体である。記憶部２２は、各種情報を記憶する。通信部２９は、情報処理装置１６の近辺の他の情報処理装置１６と近距離通信を行うためのインターフェースである。通信部２８には、近距離赤外通信を行う公知の機器を用いる。
【００２３】
駆動部２４は、情報処理装置１６で実行可能な各機能の機能部を駆動する。例えば、情報処理装置１６が画像形成装置である場合には、駆動部２４は、情報処理装置１６に設けられた、記録媒体に画像を形成する画像形成部（図示省略）を駆動する。なお、情報処理装置１６が、プロジェクタ等の表示装置である場合には、駆動部２４に替えて制御部２０が表示部２６を駆動制御する。
【００２４】
制御部２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、情報処理装置１６全体を制御する。
【００２５】
給電装置１８は、ネットワーク１４を介してサーバ装置１２に接続されている。また、給電装置１８は、接続された情報処理装置１６に電力を供給する装置である。１つの給電装置１８に対して、１または複数の情報処理装置１６が接続される。すなわち、１の給電装置１８は、複数の情報処理装置１６へ電力供給可能である。給電装置１８と情報処理装置１６とは、有線または無線の公知の通信回線を介して接続されている。通信回線には、ネットワーク等があるが、これに限られない。
【００２６】
給電装置１８は、本実施の形態では、ＴＣＰ／ＩＰなどの通信プロトコルを使い、インターネット通信が可能な電力供給装置である。給電装置１８は、室内等に配置されている給電コンセント（日本ではＡＣ１００Ｖ）や、ワイヤレス電力伝送の可能な給電装置１８がある。本実施の形態では、ワイヤレス電力伝送の可能な給電装置１８を用いる場合を説明するが、これに限られない。
【００２７】
また、本実施の形態では、給電装置１８は、予め定めた範囲（距離）内に位置する１または複数の情報処理装置１６へ、電力供給可能である。
【００２８】
給電装置１８は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。また、給電装置１８は、接続された情報処理装置１６に電力を供給する。
【００２９】
給電装置１８は、記憶部１８Ａ、制御部１８Ｂ、及び通信部１８Ｃを備える。
【００３０】
制御部１８Ｂは、給電装置１８を制御する。通信部１８Ｃは、接続された情報処理装置１６、及びネットワーク１４を介して接続されたサーバ装置１２と、通信を行うためのインターフェースである。
【００３１】
通信部１８Ｃは、給電装置１８において電力供給開始した情報処理装置１６の第２識別情報を、該情報処理装置１６から受信する。制御部１８Ｂは、該情報処理装置１６の第２識別情報と、該情報処理装置１６への稼働状況と、該給電装置１８の第１識別情報と、を対応づけて記憶部１８Ａへ記憶する。
【００３２】
第２識別情報は、情報処理装置１６を一意に識別する識別情報である。なお、以下では、第２識別情報を、機器ＩＤと称して説明する場合がある。第１識別情報は、給電装置１８を一意に識別する識別情報である。なお、以下では、第１識別情報を、給電装置ＩＤと称して説明する場合がある。
【００３３】
なお、通信部１８Ｃは、給電装置１８において電力供給開始した情報処理装置１６の第２識別情報と共に、該情報処理装置１６の所有者を示す情報や、該情報処理装置１６の種類を示す情報等を、該情報処理装置１６から受信してもよい。この場合には、これらの情報についても、記憶部１８Ａに記憶すればよい。情報処理装置１６の種類とは、情報処理装置１６を機能毎に予め分類した各分類を示す情報である。情報処理装置１６の種類には、携帯端末（スマートフォン）、画像形成装置（複合機（ＭＦＰ））、画像表示装置（プロジェクタ）等があるが、これらに限られない。
【００３４】
稼働状況は、動作中、停止中、等がある。動作中は、情報処理装置１６に電力が供給されている状態を示す。停止中は、情報処理装置１６に電力が供給されていない状態を示す。なお、稼働状況は、更に、他の情報を含んでいてもよい。例えば、稼働状況は、情報処理装置１６に供給されている電力量等を示す情報を更に含んでいてもよい。
【００３５】
記憶部１８Ａは、ハードディスクドライブ装置（ＨＤＤ）等の記憶媒体である。記憶部１８Ａは、各種情報を記憶する。本実施の形態では、記憶部１８Ａは、第１データを記憶する。第１データは、給電装置１８の給電装置ＩＤ、給電装置１８が電力供給する情報処理装置１６の機器ＩＤ（第２識別情報）、給電装置１８が電力供給している情報処理装置１６の稼働状況、情報処理装置１６の種類、情報処理装置１６の所有者を対応づけて記憶したテーブルである。
【００３６】
給電装置１８は、第１データを、サーバ装置１２から要求があった場合や、給電装置１８が新たな情報処理装置１６に電力供給を開始したときや、給電装置１８が電力供給を解除したとき等に、サーバ装置１２へ送信する。
【００３７】
サーバ装置１２は、制御部３２、通信部３４、及び記憶部３６を備える。
【００３８】
通信部３４は、ネットワーク１４を介して、情報処理装置１６及びサーバ装置１２と通信を行うためのインターフェースである。
【００３９】
記憶部３６は、ハードディスクドライブ装置（ＨＤＤ）等の記憶媒体である。記憶部３６は、各種情報を記憶する。
【００４０】
本実施の形態では、記憶部３６は、レイアウト図、第２データ、第３データ等の各種情報を記憶する。
【００４１】
レイアウト図は、情報処理システム１０で管理対象の１または複数の各領域を示す地図や見取り図等の画像データである。また、レイアウト図は、後述する情報処理によって、給電装置１８を示す第１画像や、情報処理装置１６を示す第２画像等を含む画像データに更新される。記憶部３６は、レイアウト図を一意に特定するレイアウト図識別情報（以下、レイアウト図Ｎｏと称する場合がある）に対応づけて、レイアウト図の画像データを記憶する。
【００４２】
第１画像は、給電装置１８を示す画像である。第１画像は、給電装置１８を簡単な絵柄で記号化して表現したアイコン等が用いられるが、これに限られない。記憶部３６は、給電装置１８を示す情報と、第１画像と、を予め記憶する。なお、第１画像は、ユーザによる図示を省略する操作部の操作指示や情報処理装置１６からの変更指示等によって、適宜変更可能である。
【００４３】
第２画像は、情報処理装置１６を示す画像である。第２画像は、情報処理装置１６を種類に応じた簡単な絵柄で記号化して表現したアイコン等が用いられるが、これに限られない。記憶部３６は、情報処理装置１６（または情報処理装置１６の種類）を示す情報と、第２画像と、を予め記憶する。なお、第２画像は、ユーザによる図示を省略する操作部の操作指示や情報処理装置１６からの変更指示等によって、適宜変更可能である。
【００４４】
すなわち、レイアウト図は、給電装置１８の第１画像を実空間上における位置情報に応じた第１位置に配置すると共に、情報処理装置１６の第２画像を実空間上における位置情報に応じた第２位置に配置した図である。
【００４５】
なお、第１画像の第１位置は、ユーザによる情報処理装置１６の操作指示によって指定される（詳細後述）。また、第２画像の第２位置は、サーバ装置１２で実行する後述するレイアウト図の更新処理によって指定される。
【００４６】
第２データは、給電装置ＩＤ（第１識別情報）と、レイアウト図識別情報と、位置座標と、レイアウト図の名称と、を対応づけたテーブルである。
【００４７】
図３は、第２データのデータ構造の一例を示す模式図である。図３に示すように、第２データは、給電装置ＩＤ（第１識別情報）と、レイアウト図識別情報と、位置座標（第１位置）と、レイアウト図の名称と、を対応づけたテーブルである。
【００４８】
図４は、第３データのデータ構造の一例を示す模式図である。図４に示すように、第３データは、機器ＩＤと、所有者と、種類、給電装置ＩＤ、及び稼働状況を対応づけたテーブルである。
【００４９】
機器ＩＤは、第２識別情報である。所有者は、対応する機器ＩＤによって特定される情報処理装置１６の所有者である。種類は、対応する機器ＩＤによって特定される情報処理装置１６の種類である。給電装置ＩＤは、対応する機器ＩＤによって特定される情報処理装置１６に電力供給する給電装置１８の第１識別情報である。稼働状況は、対応する機器ＩＤによって特定される情報処理装置１６の稼働状況を示す。
【００５０】
サーバ装置１２では、給電装置１８から受信した第１データを記憶部３６へ記憶することで、第３データを最新の状態に更新する。
【００５１】
すなわち、記憶部３６は、後述する情報処理によって、レイアウト図の画像データと、レイアウト図の第１位置に配置される給電装置１８の第１画像と、該第１位置と、該給電装置１８の第１識別情報と、レイアウト図の第２位置に配置される情報処理装置１６の第２画像と、該第２位置と、該情報処理装置１６の第２識別情報と、を対応づけて記憶する。
【００５２】
図２に戻り、制御部３２は、取得部３２Ａ、付与部３２Ｂ、登録部３２Ｃ、受信部３２Ｄ、送信部３２Ｅ、及び更新部３２Ｆを含む。
【００５３】
取得部３２Ａは、情報処理装置１６からレイアウト図の元データとなる画像データを取得する。元データは、第１画像や第２画像を含まない状態のレイアウト図の画像データである。付与部３２Ｂは、情報処理装置１６から受信した元データの画像データに、レイアウト図識別情報を付与する。また、付与部３２Ｂは、新たな給電装置１８がネットワーク１４を介してサーバ装置１２に接続された場合に、該給電装置１８に給電装置ＩＤ（第１識別情報）を付与する。なお、付与部３２Ｂが給電装置ＩＤを新たに付与すると、制御部３２は、付与した給電装置ＩＤを、該給電装置ＩＤによって特定される給電装置１８へ送信する。該給電装置ＩＤを受け付けた給電装置１８では、該給電装置ＩＤを記憶部１８Ａに記憶する。そして、次回サーバ装置１２へ各種データを送信する場合には、給電装置ＩＤも含めてデータを送信する。
【００５４】
また、付与部３２Ｂは、レイアウト図の記憶部３６への格納先を示すアドレス情報を付与する。例えば、付与部３２Ｂは、ＵＲＬ（Ｕｎｉｆｏｒｍ  Ｒｅｓｏｕｒｃｅ  Ｌｏｃａｔｏｒ）を、レイアウト図の格納先を示すアドレス情報として付与する。
【００５５】
登録部３２Ｃは、情報処理装置１６や給電装置１８から受信した各種データを記憶部３６へ登録する。
【００５６】
受信部３２Ｄは、給電装置１８から、給電装置１８の給電装置ＩＤ（第１識別情報）、及び該給電装置１８が電力供給する情報処理装置１６の機器ＩＤ（第２識別情報）を少なくとも含む上記第１データを受信する。
【００５７】
更新部３２Ｆは、記憶部３６に記憶されているレイアウト図を更新する。詳細には、更新部３２Ｆは、レイアウト図における、受信した第１データに含まれる機器ＩＤ（第２識別情報）によって特定される情報処理装置１６の第２画像を、受信した第１データに含まれる給電装置ＩＤ（第１識別情報）によって特定される給電装置１８の第１位置から予め定めた範囲内の第２位置に配置する。これによって、更新部３２Ｆは、レイアウト図を更新する。
【００５８】
次に、情報処理システム１０を構成する各装置（情報処理装置１６、給電装置１８、サーバ装置１２）の各々で実行する情報処理の手順を説明する。
【００５９】
なお、本実施の形態では、情報処理装置１６は、ブラウザソフトなどを使用して、インターネット等のネットワーク１４を経由し、遠隔地からサーバ装置１２へアクセスする。これによって、情報処理装置１６は、サーバ装置１２に格納された各種アプリケーションソフトの機能をサービスの形で利用する。
【００６０】
すなわち、本実施の形態では、情報処理装置１６は、サーバ装置１２から受信したレイアウト図等の各種画像を、ブラウザソフト等を介して閲覧したり、各種指示を行ったりする場合を説明する。
【００６１】
なお、情報処理装置１６では、レイアウト図等の各種画像の表示後にユーザによる入力部２５の操作指示によって画面遷移の必要な指示がなされた時には、サーバ装置１２に遷移後の画像取得要求を行って新たに受信した画像を表示部２６に表示してもよいが、下記技術を用いることが好ましい。具体的には、情報処理装置１６は、対話型Ｗｅｂアプリケーションの実装形態であるＡｊａｘ（Ａｓｙｎｃｈｒｏｎｏｕｓ  ＪａｖａＳｃｒｉｐｔ（登録商標）＋ＸＭＬ）技術を用いることが好ましい。
【００６２】
図５は、情報処理装置１６が実行する情報処理の手順の一例を示すフローチャートである。
【００６３】
まず、制御部２０が、レイアウト図の元データを読取る（ステップＳ１００）。例えば、ユーザが、情報処理装置１６や給電装置１８の設置されている領域の写真や地図や見取図等の画像データを取得する。そして、制御部２０は、該画像データを読取る。具体的には、制御部２０は、情報処理装置１６における駆動部２４がスキャナ機能を有する場合には、駆動部２４で該画像データの画像を読取ることで、レイアウト図の元データを読取る。また、情報処理装置１６に接続された記憶媒体（図示省略）から該元データを読取ることで、レイアウト図の元データを読取る。
【００６４】
次に、通信部２８が、ステップＳ１００で読取った、レイアウト図の元データである画像データを、サーバ装置１２へ送信する（ステップＳ１０２）。次に、通信部２８は、サーバ装置１２から、サーバ装置１２で該レイアウト図が登録されたか否かを判断する（ステップＳ１０４）。ステップＳ１０４では、サーバ装置１２から、レイアウト図の記憶先を示すアドレス情報（例えば、ＵＲＬ）を受信したか否かを判別することで、ステップＳ１０４の判断を行う。
【００６５】
通信部２８は、ステップＳ１０４で肯定判断（ステップＳ１０４：Ｙｅｓ）するまで否定判断（ステップＳ１０４：Ｎｏ）を繰り返し、肯定判断すると（ステップＳ１０４：Ｙｅｓ）、ステップＳ１０６へ進む。
【００６６】
ステップＳ１０６では、制御部２０が、レイアウト図の登録先へアクセスする（ステップＳ１０６）。ステップＳ１０６では、制御部２０は、ステップＳ１０４で受信したアドレス情報によって示されるＵＲＬへアクセスすることで、サーバ装置１２における、レイアウト図の登録先へアクセスする。ステップＳ１０６の処理によって、サーバ装置１２からレイアウト図の画像データが送信される。
【００６７】
次に、通信部２８が、ステップＳ１０６でアクセスした登録先に登録されているレイアウト図の画像データを受信したか否かを判断する（ステップＳ１０８）。ステップＳ１０８で否定判断すると（ステップＳ１０８：Ｎｏ）、上記ステップＳ１０６へ戻る。一方、ステップＳ１０８で肯定判断すると（ステップＳ１０８：Ｙｅｓ）、ステップＳ１１０へ進む。
【００６８】
ステップＳ１１０では、ステップＳ１０８で受信した画像データのレイアウト図を表示部２６へ表示する（ステップＳ１１０）。
【００６９】
次に、制御部２０は、給電装置１８の登録か否かを判断する（ステップＳ１１２）。ステップＳ１１２の判断は、ユーザによる入力部２５の操作指示によって、レイアウト図上に配置させる給電装置１８が指示されたか否かを判別することで行う。詳細には、ユーザは、入力部２５を操作することで、表示部２６に表示されたレイアウト図上の所望の位置を指示（ポイントやクリック）する。これによって、入力部２５から制御部２０に、新たに登録する給電装置１８のレイアウト図上における位置（第１位置）と、給電装置１８を示す情報と、が入力される。制御部２０では、これらの情報が入力部２５から受け付けたか否かを判別することで、ステップＳ１１２の判断を行えばよい。
【００７０】
ステップＳ１１２で否定判断すると（ステップＳ１１２：Ｎｏ）、本ルーチンを終了する。一方、ステップＳ１１２で肯定判断すると（ステップＳ１１２：Ｙｅｓ）、ステップＳ１１４へ進む。
【００７１】
ステップＳ１１４では、通信部２８が、ステップＳ１１２で入力された、登録対象の給電装置１８の第１位置と、給電装置１８の登録指示と、を示す情報を、サーバ装置１２へ送信する（ステップＳ１１４）。
【００７２】
次に、制御部２０は、入力部２５から機器情報が入力されたか否かを判断する（ステップＳ１１６）。制御部２０は、ユーザによる入力部２５の操作指示によって、入力部２５から、情報処理装置１６や給電装置１８の機器情報が入力されたか否かを判別することで、ステップＳ１１６の判断を行う。機器情報は、情報処理装置１６や給電装置１８を示す情報である。具体的には、機器情報は、情報処理装置１６または給電装置１８の所有者や、情報処理装置１６または給電装置１８の種類等を含む。
【００７３】
ステップＳ１１６で否定判断すると（ステップＳ１１６：Ｎｏ）、本ルーチンを終了する。ステップＳ１１６で肯定判断すると（ステップＳ１１６：Ｙｅｓ）、ステップＳ１１８へ進む。ステップＳ１１８では、ステップＳ１１６で入力された機器情報を、サーバ装置１２へ送信する（ステップＳ１１８）。そして、本ルーチンを終了する。
【００７４】
次に給電装置１８が実行する情報処理を説明する。
【００７５】
図６は、給電装置１８が実行する情報処理の手順を示すフローチャートである。給電装置１８で電力供給可能な領域内に新たな情報処理装置１６が侵入したときや、給電装置１８で電力供給可能な領域内に設置されている情報処理装置１６の図示を省略する電力オンスイッチ等が操作されると、給電装置１８は、該情報処理装置１６への電力供給を開始する（ステップＳ２００）。
【００７６】
次に、制御部１８Ｂが、ステップＳ２００で電力供給開始した情報処理装置１６の機器ＩＤ（第２識別情報）を、電力供給中の情報処理装置１６から取得する（ステップＳ２０２）。次に、通信部１８Ｃが、ステップＳ２０２で取得した機器ＩＤ（第２識別情報）と、給電装置１８の給電装置ＩＤ（第１識別情報）と、を含む第１データをサーバ装置１２へ送信する（ステップＳ２０４）。
【００７７】
次に、制御部１８Ｂは、電力供給中の情報処理装置１６への電力供給を停止したか否かを判別する（ステップＳ２０６）。ステップＳ２０６で否定判断すると（ステップＳ２０６：Ｎｏ）、本ルーチンを終了する。一方、ステップＳ２０６で肯定判断すると（ステップＳ２０６：Ｙｅｓ）、ステップＳ２０８へ進む。
【００７８】
ステップＳ２０８では、通信部１８Ｃが、ステップＳ２０６で電力供給を停止したと判別した情報処理装置１６の機器ＩＤを、サーバ装置１２へ送信する（ステップＳ２０８）。そして、本ルーチンを終了する。
【００７９】
次に、サーバ装置１２で実行する情報処理を説明する。
【００８０】
図７は、サーバ装置１２の制御部３２が実行する情報処理の手順を示すフローチャートである。
【００８１】
まず、取得部３２Ａが、情報処理装置１６からレイアウト図の元データの画像データを受信したか否かを判断する（ステップＳ３００）。ステップＳ３００では、肯定判断（ステップＳ３００：Ｙｅｓ）するまで否定判断（ステップＳ３００：Ｎｏ）を繰り返す。ステップＳ３００で肯定判断すると（ステップＳ３００：Ｙｅｓ）、ステップＳ３０２へ進む。
【００８２】
ステップＳ３０２では、登録部３２Ｃが、ステップＳ３００で受信したレイアウト図の元データの画像データを登録する（ステップＳ３０２）。詳細には、まず、登録部３２Ｃは、ステップＳ３００で受信したレイアウト図の元データの画像データに、レイアウト図識別情報（レイアウトＮｏ）を付与し、対応づけて記憶部３６に記憶する。
【００８３】
次に、付与部３２Ｂが、ステップＳ３０２で記憶した画像データの登録先であるアドレス情報を示すＵＲＬを付与する（ステップＳ３０４）。次に、送信部３２Ｅが、登録先を送信する（ステップＳ３０６）。詳細には、送信部３２Ｅが、ステップＳ３０４で付与したアドレス情報（ＵＲＬ）を、上記ステップＳ３００における画像データの送信元である情報処理装置１６へ送信する。
【００８４】
次に、受信部３２Ｄが、アクセス有りか否かを判断する（ステップＳ３０８）。ステップＳ３０８では、受信部３２Ｄは、情報処理装置１６から該アドレス情報によって特定される登録先に格納されている画像データに、情報処理装置１６からアクセスがなされたか否かを判別することで、ステップＳ３０８の判断を行う。
【００８５】
ステップＳ３０８で否定判断すると(ステップＳ３０８：Ｎｏ)、本ルーチンを終了する。一方、ステップＳ３０８で肯定判断すると（ステップＳ３０８：Ｙｅｓ）、ステップＳ３１０へ進む。
【００８６】
ステップＳ３１０では、ステップＳ３０８で情報処理装置１６からアクセスされた登録先に格納されている、レイアウト図の画像データを情報処理装置１６へ送信する（ステップＳ３１０）。
【００８７】
次に、受信部３２Ｄは、情報処理装置１６から給電装置登録依頼を受信したか否かを判断する（ステップＳ３１２）。ステップＳ３１２の判断は、情報処理装置１６から、登録対象の給電装置１８の第１位置と、給電装置１８の登録指示と、を示す情報を受け付けたか否かを判別することで行う。
【００８８】
ステップＳ３１２で肯定判断すると（ステップＳ３１２：Ｙｅｓ）、更新部３２Ｆが、ステップＳ３１２で受信した第１位置に給電装置１８の第１画像を配置することでレイアウト画像を更新する更新処理を実行する（ステップＳ３１４）（詳細後述）。そして、ステップＳ３１６へ進む。一方、ステップＳ３１２で否定判断した場合も（ステップＳ３１２：Ｎｏ）、ステップＳ３１６へ進む。
【００８９】
ステップＳ３１６では、受信部３２Ｄが、給電装置１８から機器ＩＤを受信したか否かを判断する（ステップＳ３１６）。詳細には、受信部３２Ｄは、給電装置１８から、情報処理装置１６の機器ＩＤ（第２識別情報）及び該給電装置１８の給電装置ＩＤ（第１識別情報）を受信したか否かを判別することで、ステップＳ３１６の判断を行う。
【００９０】
ステップＳ３１６で肯定判断すると（ステップＳ３１６：Ｙｅｓ）、ステップＳ３１８へ進む。ステップＳ３１８では、更新部３２Ｆが、ステップＳ３１６で受信した機器ＩＤによって特定される情報処理装置１６の第２画像をレイアウト図上に配置する、レイアウト図の更新処理を実行する（ステップＳ３１８）（詳細後述）。そして、ステップＳ３２０へ進む。一方、上記ステップＳ３１６で否定判断（ステップＳ３１６：Ｎｏ）した場合も、ステップＳ３２０へ進む。
【００９１】
ステップＳ３２０では、情報処理装置１６から機器情報を受信したか否かを判断する（ステップＳ３２０）。ステップＳ３２０で否定判断すると（ステップＳ３２０：Ｎｏ）、本ルーチンを終了する。ステップＳ３２０で肯定判断すると（ステップＳ３２０：Ｙｅｓ）、ステップＳ３２２へ進む。ステップＳ３２２では、レイアウト図の更新処理を実行する（ステップＳ３２２）（詳細後述）。そして、本ルーチンを終了する。
【００９２】
次に、上記ステップＳ３１４の更新処理の手順を説明する。図８は、図７に示すように、ステップＳ３１４の更新処理の手順を示すフローチャートである。
【００９３】
まず、付与部３２Ｂが、給電装置１８に給電装置ＩＤを付与する（ステップＳ４００）。詳細には、付与部３２Ｂは、上記ステップＳ３１２で受信した給電装置登録依頼としての情報に含まれる、登録対象の給電装置１８の第１位置と、給電装置１８の登録指示と、を読取る。そして、付与部３２Ｂは、登録対象の給電装置１８の識別情報として、給電装置ＩＤを付与する。なお、給電装置１８の給電装置ＩＤは、ユーザによる図示を省略する入力部の操作指示や、情報処理装置１６から受信した給電装置ＩＤの編集指示等に応じて、変更可能としてもよい。
【００９４】
次に、更新部３２Ｆが、上記ステップＳ３１２で受信した、登録対象の給電装置１８の第１位置と、ステップＳ４００で付与した給電装置ＩＤと、を、上記ステップＳ３００で受信した画像データのレイアウト図のレイアウト図Ｎｏに対応付けて、第２データに登録する（ステップＳ４０２）。
【００９５】
次に、更新部３２Ｆは、給電装置１８の第１画像を記憶部３６から読取る（ステップＳ４０４）。次に、更新部３２Ｆは、上記ステップＳ４０２で登録したレイアウト図Ｎｏに対応するレイアウト図上における、ステップＳ４０２で登録した第１位置に、ステップＳ４０４で読取った第１画像を配置する（ステップＳ４０６）。
【００９６】
ステップＳ４０６の処理によって、更新部３２Ｆは、情報処理装置１６から登録対象として受け付けた給電装置１８について、給電装置１８の第１画像を、レイアウト図上における、情報処理装置１６から受け付けた第１位置に配置することで、レイアウト図を更新する。
【００９７】
そして、本ルーチンを終了する。
【００９８】
次に、上記ステップＳ３１８及びステップＳ３２２の更新処理を説明する。図９は、図７におけるステップＳ３１８及びステップＳ３２２の更新処理の手順を示すフローチャートである。
【００９９】
まず、更新部３２Ｆが、ステップＳ３１６で給電装置１８から受信した機器ＩＤと、情報処理装置１６の第２画像と、を読取る（ステップＳ５００）。次に、更新部３２Ｆは、ステップＳ５００で読取った機器ＩＤに対応する、給電装置ＩＤ及び機器情報を記憶部３６から読取る（ステップＳ５０２）。更新部３２Ｆは、ステップＳ５００で読取った機器ＩＤに対応する、給電装置ＩＤ及び機器情報（所有者、種類、稼働状況等）を記憶部３６の第３データから取得することで、ステップＳ５０２の処理を行う。また、更新部３２Ｆは、情報処理装置１６の第２画像を記憶部３６から読取る。なお、更新部３２Ｆは、第３データから取得した情報処理装置１６の種類に対応する第２画像を記憶部３６から読取ってもよい。
【０１００】
次に、更新部３２Ｆは、上記ステップＳ５０２で読取った情報処理装置１６の第２画像を、上記ステップＳ４０２で登録したレイアウト図Ｎｏに対応するレイアウト図上における、ステップＳ５０２で読取った給電装置ＩＤによって特定される給電装置１８の第１位置から予め定めた範囲内の第２位置に配置する（ステップＳ５０４）。ステップＳ５０４の処理によって、更新部３２Ｆは、レイアウト図を更新する。
【０１０１】
なお、記憶部３６は、給電装置１８が電力供給可能な範囲（距離）を予め記憶する。そして、更新部３２Ｆは、給電装置１８の第１位置から予め定めた範囲内の第２位置として、該給電装置１８が電力供給可能な範囲内を定めればよい。
【０１０２】
そして、本ルーチンを終了する。
【０１０３】
なお、上記ステップＳ５０２の処理において、対応する機器情報及び第２画像が記憶部３６に記憶されていない場合には、情報処理装置１６に、機器情報及び第２画像の取得要求を送信すればよい。該取得要求を受け付けた情報処理装置１６では、機器情報及び第２画像の入力をユーザに対して促す情報を表示部２６へする。そして、ユーザによる入力部２５の操作指示によって、機器情報及び第２画像が入力されると、情報処理装置１６は、入力された機器情報及び第２画像をサーバ装置１２へ送信すればよい。サーバ装置１２では、受け付けた機器情報及び第２画像を記憶部３６へ記憶すればよい。
【０１０４】
次に、情報処理装置１６においてユーザがレイアウト図を参照するときに、サーバ装置１２で実行する表示処理を説明する。
【０１０５】
図１０は、サーバ装置１２で実行する表示処理の手順を示すフローチャートである。サーバ装置１２の受信部３２Ｄでは、情報処理装置１６からレイアウト図参照要求を受信したか否かを判別する（ステップＳ５０８）。レイアウト図参照要求は、情報処理装置１６の機器ＩＤと、レイアウト図参照要求を示す指示信号と、を含む。
【０１０６】
ステップＳ５０８で否定判断すると（ステップＳ５０８：Ｎｏ）、本ルーチンを終了する。ステップＳ５０８で肯定判断すると（ステップＳ５０８：Ｙｅｓ）、ステップＳ５１０へ進む。
【０１０７】
ステップＳ５１０では、送信部３２Ｅが、レイアウト図を読取る（ステップＳ５１０）。詳細には、ステップＳ５１０では、送信部３２Ｅが、ステップＳ５０８で受信したレイアウト図参照要求に含まれる機器ＩＤに対応する給電装置ＩＤを記憶部３６の第３データから読取る。そして、送信部３２Ｅは、読取った給電装置ＩＤに対応するレイアウト図Ｎｏを記憶部３６の第２データから読取り、該レイアウト図Ｎｏに対応するレイアウト図を記憶部３６から読取ることで、ステップＳ５１０の処理を行う。
【０１０８】
次に、送信部３２Ｅは、ステップＳ５１０で読取ったレイアウト図の記憶部３６における格納先を示すアドレス情報（ＵＲＬ）を、ステップＳ５０８でレイアウト図参照要求を送信した送信元の情報処理装置１６へ送信する（ステップＳ５１２）。
【０１０９】
次に、ステップＳ５１４では、上記ステップＳ５１２でアドレス情報を送信した情報処理装置１６から、該アドレス情報へのアクセスが有ったか否かを判断する（ステップＳ５１４）。ステップＳ５１４で否定判断すると（ステップＳ５１４：Ｎｏ）、本ルーチンを終了する。一方、ステップＳ５１４で肯定判断すると（ステップＳ５１４：Ｙｅｓ）、ステップＳ５１６へ進む。
【０１１０】
ステップＳ５１６では、レイアウト図の表示処理を行う(ステップＳ５１６)。ステップＳ５１６の処理は、図７のステップＳ３１０〜ステップＳ３２２と同様にして行う。そして、本ルーチンを終了する。
【０１１１】
以上説明したように、本実施の形態のサーバ装置１２では、受信部３２Ｄが、給電装置１８から、給電装置１８の第１識別情報（給電装置ＩＤ）と給電装置１８で電力供給する情報処理装置１６の第２識別情報（機器ＩＤ）とを含む第１データを受信する。記憶部３６は、給電装置１８の第１識別情報と、第１識別情報によって特定される給電装置１８を示す第１画像を実空間上における位置情報に応じた第１位置に配置したレイアウト図と、第１位置と、を対応づけて記憶する。更新部３２Ｆは、受信部３２Ｄで受信した第１データに含まれる第２識別情報によって特定される情報処理装置１６を示す第２画像を、レイアウト図における、該第１データに含まれる第１識別情報によって特定される給電装置１８の第１位置から予め定めた範囲内の第２位置に配置することで、レイアウト図を更新する。そして、送信部３２Ｅは、少なくともレイアウト図が更新されたときに、情報処理装置１６へレイアウト図を送信する。
【０１１２】
従って、本実施の形態のサーバ装置１２では、遠隔地からであっても、ネットワークに接続される情報処理装置１６の位置を、リアルタイムに視覚的に提供することができる。
【０１１３】
次に、情報処理システム１０において、サーバ装置１２、給電装置１８、及び情報処理装置１６で上記情報処理が実行されることによって、情報処理装置１６の表示部２６に表示されるレイアウト図等の画像の一例を具体的に説明する。
【０１１４】
図１１〜図１８は、情報処理装置１６の表示部２６に表示されるレイアウト図等の画像の一例を示す模式図である。上述したように、これらの画像は、例えば、ブラウザを介して提供される。
【０１１５】
詳細には、図１１は、情報処理装置１６がサーバ装置１２へ送信する、レイアウト図の元データの一例を示す模式図である。図１１に示すように、例えば、情報処理装置１６は、レイアウト図の元データとして、見取図１７の画像データをサーバ装置１２へ送信する。
【０１１６】
図１２は、給電装置１８が設定された状態を示す模式図である。ユーザによる入力部２５の操作指示によって、表示部２６に表示された見取図１７上の位置が指示され、給電装置１８の第１位置が指示される。表示部２６には、図１２に示すようなレイアウト図４０Ａが表示される。
【０１１７】
図１３は、各給電装置１８が電力供給可能な範囲の一例を示す模式図である。各給電装置１８の第１位置を中心とした図１３の点線内の領域が、各給電装置１８が電力供給可能な範囲である。レイアウト図４０Ｂは、このように、各給電装置１８が電力供給可能な範囲を示す画像（図１３では点線）を含んでいてもよい。なお、点線によって示される電力供給可能な範囲の重なる領域は、複数の給電装置１８によって電力供給可能な範囲である。このため、この重なる領域に位置する情報処理装置１６は、複数の給電装置１８によって機器ＩＤが取得されることとなり、より正確な位置（第２位置）がレイアウト図に反映されることとなる。
【０１１８】
図１４〜図１６は、サーバ装置１２で作成したレイアウト図４０Ｃの一例を示す模式図であり、情報処理装置１６の表示部２６に表示された状態を示す。
【０１１９】
図１４に示すように、レイアウト図４０Ｃは、給電装置１８の第１画像を第１位置に配置し、情報処理装置１６の第２画像を第２位置に配置した図である。また、図１４に示すように、レイアウト図４０Ｃは、各給電装置１８の給電装置ＩＤや、各情報処理装置１６の機器ＩＤや所有者等の機器情報を含んでいてもよい。また、各情報処理装置１６の機器情報は、ユーザによる入力部２５の操作指示によって、表示部２６の画面上のポインタＰの位置が何れかの情報処理装置１６の第２画像の表示位置を示したときに、ポップアップ画面４２Ａを表示することで表示部２６に表示してもよい。
【０１２０】
また、レイアウト図４０Ｃは、情報処理装置１６の稼働状態に応じた色で第２画像を示してもよいし、稼働状況に応じた色の文字情報で機器情報を示してもよい。例えば、図１５及び図１６に示すように、非稼働中の情報処理装置１６の第２画像を、非稼働中を示す色で示してもよい。
【０１２１】
また、各情報処理装置１６の第２画像の近傍に、各情報処理装置１６の所有者や種類等の情報を示す。また、情報処理装置１６の稼働状態に応じた色で第２画像を示す。これによって、このようなレイアウト図４０Ｃが情報処理装置１６に提供され、情報処理装置１６の表示部２６に表示されることで、ユーザは、動作中の情報処理装置１６の種類や各情報処理装置１６の位置を的確に把握することができる。
【０１２２】
図１７は、レイアウト図４０Ｄの一例を示す模式図である。
【０１２３】
図１７に示すように、サーバ装置１２側で作成したレイアウト図４０Ｄは、各給電装置１８を示す第１画像が第１位置に配置され、各給電装置１８で電力供給可能な情報処理装置１６の第２画像が第２位置に配置された画像である。このため、このようなレイアウト図４０Ｄが情報処理装置１６へ提供されることで、情報処理装置１６を操作するユーザは、遠隔地等から、一目で、所望の領域における情報処理装置１６の位置をリアルタイムに視覚で確認することができる。
【０１２４】
また、各情報処理装置１６の稼働状況に応じた色等の表示形態で、各情報処理装置１６の第２画像を示すことで、情報処理装置１６を操作するユーザに対して、各情報処理装置１６の稼働状況を容易に提供することができる。
【０１２５】
また、表示部２６に表示されたレイアウト図４０Ｄにおける、第１画像がユーザによる入力部２５の操作指示によって指示されることで、指示された第１画像の情報処理装置１６の機器情報等の詳細が表示される。このため、情報処理装置１６を操作するユーザに対して、各情報処理装置１６の詳細な機器情報を容易に提供できる。なお、ユーザによる入力部２５の操作指示によって、表示された機器情報を更に編集可能としてもよい。
【０１２６】
また、情報処理装置１６において、ユーザによる入力部２５の操作指示によって、検索対象の情報処理装置１６や所有者等のキーワードが入力されたとする。例えば、図１８に示すように、検索ウィンドウ４２Ｅに、検索対象として「リコー太郎」が入力されたとする。
【０１２７】
この場合、情報処理装置１６からサーバ装置１２へ、検索対象のキーワードを送信する。キーワードを受信したサーバ装置１２では、キーワードに対応する情報処理装置１６の機器情報を記憶部３６から検索し、検索結果を情報処理装置１６へ返信する。検索結果を受け付けた情報処理装置１６では、図１８に示すように、検索結果を、例えば、ウィンドウ４４Ｅ内に表示する。このようにすれば、容易に、ユーザ所望の情報処理装置１６の位置及び機器情報を提供することができる。
【０１２８】
なお、本実施の形態のサーバ装置１２は、通常のコンピュータを利用したハードウェア構成となっている。
【０１２９】
本実施の形態のサーバ装置１２で実行される上記情報処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読取り可能な記録媒体に記録されて提供される。
【０１３０】
また、本実施の形態のサーバ装置１２で実行される情報処理を実行するためのプログラムを、インターネット等のネットワークに接続されたコンピュータ上に格納し、ネットワーク経由でダウンロードさせることにより提供するように構成してもよい。また、本実施の形態のサーバ装置１２で実行される情報処理を実行するためのプログラムを、インターネット等のネットワーク経由で提供または配布するように構成してもよい。
【０１３１】
また、本実施の形態のサーバ装置１２で実行される情報処理を実行するためのプログラムを、ＲＯＭ等に予め組み込んで提供するように構成してもよい。
【０１３２】
なお、本実施の形態のサーバ装置１２は、上述した情報処理を実行するための機能部を含むモジュール構成となっており、実際のハードウェアとしてはＣＰＵ（プロセッサ）が記憶媒体から、情報処理を実行するためのプログラムを読み出して実行することにより上記各機能部が主記憶装置上にロードされ、主記憶装置上に生成されるようになっている。
【０１３３】
なお、上記には、本実施の形態を説明したが、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【符号の説明】
【０１３４】
１２  サーバ装置
１６  情報処理装置
１８  給電装置
３２Ｄ  受信部
３２Ｅ  送信部
３２Ｆ  更新部
【先行技術文献】
【特許文献】
【０１３５】
【特許文献１】特表２０１０−５３１０２２号公報
【図１】
2014052982.tif 000003
【図２】
2014052982.tif 000004
【図３】
2014052982.tif 000005
【図４】
2014052982.tif 000006
【図５】
2014052982.tif 000007
【図６】
2014052982.tif 000008
【図７】
2014052982.tif 000009
【図８】
2014052982.tif 000010
【図９】
2014052982.tif 000011
【図１０】
2014052982.tif 000012
【図１１】
2014052982.tif 000013
【図１２】
2014052982.tif 000014
【図１３】
2014052982.tif 000015
【図１４】
2014052982.tif 000016
【図１５】
2014052982.tif 000017
【図１６】
2014052982.tif 000018
【図１７】
2014052982.tif 000019
【図１８】
2014052982.tif 000020